(57)【要約】【課題】  防蟻剤を使用しないで、白蟻を防ぐ実用的な方法を提供すること。【解決手段】  建築物１０の基礎１２の一方の側面１２ａに接して防白蟻部材２０を配設し、防白蟻部材２０として、白蟻が通過できない程度の粒子間の隙間ができる粒子層２１を使用する。側壁部２３と側壁部２３の下端部に連結した底部２４とを有する仕切り部材２２を使用し、仕切り部材２２の底部２４の側壁部２３と反対側端部２４ａが基礎１２の一方の側面１２ａに沿って配置されるように、仕切り部材２２の底部２４を地面３１上に配置し、基礎１２の一方の側面１２ａと仕切り部材２２との間に粒子層２１を配置する。【選択図】        図１
2006241881.tif 000002
【特許請求の範囲】
【請求項１】
建築物の基礎の側面に接して防白蟻部材を配設し、
前記防白蟻部材として、白蟻が通過できない程度の粒子間の隙間ができる粒子層を使用し、
側壁部とこの側壁部の下端部に連結した底部とを有する仕切り部材を使用し、
前記仕切り部材の底部の側壁部と反対側端部が前記基礎の側面に沿って配置されるように、前記仕切り部材の底部を地面上に配置し、
前記基礎の側面と前記仕切り部材との間に前記粒子層を配置したことを特徴とする防白蟻方法。
【請求項２】
建築物の基礎の側面に接して防白蟻部材を配設し、
前記防白蟻部材として、白蟻が通過できない程度の粒子間の隙間ができる粒子層を使用し、
側壁部と側壁部の下端部に連結した底部とを有する仕切り部材を使用し、
前記仕切り部材の側壁部が前記基礎の側面と所定の間隔をなすように、前記仕切り部材の底部をコンクリート床上に配置し、その際、前記底部が前記基礎の側面から離れるようにし、前記底部と前記基礎の側面との間を前記粒子層の粒子が通過可能にし、
前記基礎の側面と前記仕切り部材の側壁部との間に前記粒子層を配置したことを特徴とする防白蟻方法。
【発明の詳細な説明】
【技術分野】
【０００１】
本発明は、建築物の基礎等に用いられる防白蟻方法に関し、特に防白蟻効果を長くする実用的な技術に関するものである。
【背景技術】
【０００２】
従来、建築物の基礎から白蟻が建築物に侵入することを防ぐ方法として、建築物の基礎の周りの地面上に防蟻シートを設ける方法がある。防蟻シートとしては、樹脂やガラス繊維に防蟻剤、例えばホウ酸、有機リン酸等を混入したものがある（例えば、特許文献１参照）。
また、建築物の基礎の内側に防蟻用薬剤を散布等する方法もある（例えば、非特許文献１参照）。この場合の防蟻用薬剤の形態は液剤、粒剤、粉剤がある。なお、基礎の外側に防蟻用薬剤を散布等しないのは、薬害を防ぐためである。
また、白蟻が通過できない粒子層により白蟻を防ぐ物理的方法も考えられているが、この方法について実用的な具体的方法はなかった。
【特許文献１】特開２００２−１３８５８８号公報
【非特許文献１】「防除施工標準仕様書」社団法人日本しろあり対策協会、平成１５年７月１０日改定版発行
【発明の開示】
【発明が解決しようとする課題】
【０００３】
しかし、上述の薬剤を使用する従来例では、前記防蟻剤は通常５年程度でその効果がなくなるので、防蟻シートおよび防蟻用薬剤を交換し、再施工および再処理をしなければならないという問題があった。
また、上述の物理的方法では、実用性が十分ではなかった。
そこで、本発明が解決しようとする課題は、防蟻剤を使用しないで、白蟻を防ぐことができる実用的な防白蟻方法を提供することである。
【課題を解決するための手段】
【０００４】
請求項１記載の発明は、建築物（屋外の門、塀、木製の公園用材、ブランコ等の構築物を含む。）の基礎（水道管、ガス管、電気配線等の床又は地面から立ち上る立ち上がり部材を含む。）の側面に接して防白蟻部材を配設し、前記防白蟻部材として、白蟻が通過できない程度の粒子間の隙間ができる粒子層を使用し、側壁部とこの側壁部の下端部に連結した底部とを有する仕切り部材を使用し、前記仕切り部材の底部の側壁部と反対側端部が前記基礎の側面に沿って配置されるように、前記仕切り部材の底部を地面（地面の凹部を含む。）上に配置し、前記基礎の側面と前記仕切り部材との間に前記粒子層を配置したことを特徴とする防白蟻方法である。
これにより、白蟻が通過できない粒子層により建築物の基礎の側面を白蟻が昇ることを防ぐことができる。また、前記白蟻が通過できない粒子層を仕切り部材の側壁部と前記基礎の側面との間に配置することができる。また、仕切り部材の底部が前記粒子層の地中への埋没を防ぐことができる。
【０００５】
さらに、請求項２記載の発明は、建築物の基礎の側面に接して防白蟻部材を配設し、前記防白蟻部材として、白蟻が通過できない程度の粒子間の隙間ができる粒子層を使用し、側壁部と側壁部の下端部に連結した底部とを有する仕切り部材を使用し、前記仕切り部材の側壁部が前記基礎の側面と所定の間隔をなすように、前記仕切り部材の底部をコンクリート床上に配置し、その際、前記底部が前記基礎の側面から離れるようにし、前記底部と前記基礎の側面との間を前記粒子層の粒子が通過可能にし、前記基礎の側面と前記仕切り部材の側壁部との間に前記粒子層を配置したことを特徴とする防白蟻方法である。
これにより、白蟻が通過できない粒子層により建築物の基礎の側面を白蟻が昇ることを防ぐことができる。さらに、前記基礎の周りの地面にコンクリート床が形成されている場合に、このコンクリート床の上に配置された仕切り部材の側壁部と前記基礎の側面との間に前記粒子層を配置することができ、さらに、前記コンクリート床と前記基礎の側面との間に隙間ができた場合でも、この隙間に前記粒子層の粒子が落下して、前記隙間を前記粒子層の粒子で塞ぐことができるので、白蟻が前記基礎の側面を昇ることを防ぐことができる。
【発明の効果】
【０００６】
請求項１記載の発明によれば、防蟻剤を使用しない実用的な方法で、白蟻が建築物の基礎の側面を昇って建物内に進入することを防ぐことができる。このため、白蟻が建築物の木材を食い荒らすことを防ぐことができる。さらに、白蟻が建築物の基礎の側面を昇ることを防ぐ粒子層の散乱を防ぐことができる。
さらに、請求項２記載の発明によれば、防蟻剤を使用しない実用的な方法で、白蟻が建築物の基礎の側面を昇って建物内に進入することを防ぐことができる。このため、白蟻が建築物の木材を食い荒らすことを防ぐことができる。さらに、白蟻が建築物の基礎の側面を昇ることを防ぐ粒子層の散乱を防ぐことができる。さらに、建築物の基礎の周りにコンクリート床が形成されて、前記基礎と前記コンクリート床との間に隙間が生じている場合であっても、白蟻が前記基礎の側面を昇って建物内に進入することを確実に防ぐことができる。
【発明を実施するための最良の形態】
【０００７】
以下、本発明における実施の形態を図面に基づいて説明する。
図１は本発明の第１の実施の形態に係る防白蟻方法を説明し、図２は本発明の第２の実施の形態に係る防白蟻方法を説明し、図３は図１の防白蟻方法の変形例を説明し、さらに、図４は図１の蟻返しの変形例を説明している。
【０００８】
（第１の実施の形態）
図１に示すように、建築物１０の土台１１を支える基礎１２の一方の側面１２ａに接して防白蟻部材２０を配設する。この防白蟻部材２０として、白蟻が通過できない程度の粒子間の隙間ができる粒子層２１を使用する。この場合の粒子の径は１〜３ｍｍ位であり、
例えば石、コンクリート、陶器、ガラス等を砕いたものである。また、ベントナイト等の粘土や建設汚泥を用いて所定の大きさの粒径に造粒したのち、焼成などの方法で製造したものを使用することもできる。また、前記粒子を篩で選別することにより粒子の径を１〜３ｍｍ位にすることができる。
そして、側壁部２３と側壁部２３の下端部に連結した底部２４とを有する仕切り部材２２（Ｌ形断面になっている。）を使用し、この仕切り部材２２の底部２４の側壁部２３と反対側端部２４ａが基礎１２の一方の側面１２ａに沿って配置されるように、仕切り部材２２の底部２４を建築物１０側の地面３１上に配置し、基礎１２の一方の側面１２ａと仕切り部材２２との間に粒子層２１を配置する。なお、側壁部２３の高さは例えば５ｃｍであり、底部２４の側壁部２３と反対側端部２４ａと側壁部２３側端部との幅は例えば１０ｃｍである。
この場合、粒子層２１は、その表面２１ａが基礎１２の上端部および仕切り部材２２の側壁部２３の上端部より下側に位置し、その底部２１ｂは仕切り部材２２の底部２４で支えられている。さらに、粒子層２１の一方の側面２１ｃは仕切り部材２２の側壁部２３で支えられ、粒子層２１の他方の側面２１ｄは基礎１２の一方の側面１２ａで支えられている。なお、粒子層２１の底部２１ｂから表面２１ａまでの高さは例えば５ｃｍである。
さらに、側壁部２３の上端部には蟻返し２３ａが付設されている。この蟻返し２３ａは上側に凸状に湾曲した帯状の板状の形状のものであり、白蟻が乗り越えることができない程度の大きさのものである。
【０００９】
上記第１の実施の形態に係る防白蟻方法により、地面３１下の地中に白蟻が形成した蟻道３３を通って白蟻が建築物１０の土台１１を支える基礎１２の一方の側面１２ａに到達した場合に、白蟻が通過できない粒子層２１および仕切り部材２２により基礎１２の一方の側面１２ａを白蟻が昇ることを防ぐことができる。
そして、白蟻が通過できない粒子層２１を仕切り部材２２の側壁部２３と基礎１２の一方の側面１２ａとの間に配置することができる。また、仕切り部材２２の底部２４が粒子層２１の地面３１から地中への埋没を防ぐことができる。
さらに、白蟻が側壁部２３から蟻返し２３を乗り越えて粒子層２１の表面２１ａに到達することができない。
【００１０】
（第２の実施の形態）
図２に示すように、第２の実施の形態は、側壁部４３と側壁部４３の下端部に連結した底部４４とを有する仕切り部材４２を使用している。なお、この仕切り部材４２は第１の実施の形態の仕切り部材２２（図１参照）と同じものでもよい。そして、仕切り部材４２の側壁部４３が基礎１２の一方の側面１２ａと所定の間隔をなすように、仕切り部材４２の底部４４をコンクリート床６３（土壌６１上に設けられている。）上に配置する。なお、底部４４に孔をあけ、その孔から杭４５等をコンクリート床６３に打ち込むことにより、底部４４をコンクリート床６３に固定してよい。
その際、底部４４が基礎１２の一方の側面１２ａから離れるようにし、底部４４と基礎１２の一方の側面１２ａとの間を防白蟻部材４０となる粒子層４１の粒子が通過可能にし、基礎１２の一方の側面１２ａと仕切り部材４２の側壁部４３との間に粒子層４１を配置する。さらに、側壁部４３の上端部に蟻返し４３ａが付設されている。この蟻返し４３ａは第１の実施の形態の蟻返し２３ａ（図１参照）と同様のものである。
この場合、粒子層４１は、その表面４１ａが基礎１２の上端部および仕切り部材４２の側壁部４３の上端部より下側に位置し、その底部４１ｂはコンクリート床６３で支えられている。さらに、粒子層４１の一方の側面４１ｃは仕切り部材４２の側壁部４３で支えられ、粒子層４１の他方の側面４１ｄは基礎１２の一方の側面１２ａで支えられている。なお、粒子層４１の底部４１ｂから表面４１ａまでの高さは例えば５ｃｍである。
【００１１】
第２の実施の形態に係る防白蟻方法により、コンクリート床６３下の土壌６１中に白蟻が形成した蟻道６５を通って建築物１０の土台１１を支える基礎１２の一方の側面１２ａに白蟻が到達した場合に、白蟻が通過できない粒子層４１および仕切り部材４２により基礎１２の一方の側面１２ａを白蟻が昇ることを防ぐことができる。
そして、基礎１２の周りにコンクリート床６３が形成されている場合に、このコンクリート床６３の上に配置された仕切り部材４２の側壁部４３と基礎１２の一方の側面１２ａとの間に粒子層４１を配置することができ、さらに、コンクリート床６３と基礎１２の一方の側面１２ａとの間に隙間６３ａができた場合でも（この隙間６３ａはコンクリート床６３が固まるときに生じやすい。）、この隙間６３ａに粒子層４１の粒子が落下して、隙間６３ａを粒子層４１の粒子で塞ぐことができるので、白蟻が基礎１２の一方の側面１２ａを昇ることを防ぐことができる。
さらに、蟻返し４３ａにより、白蟻が仕切り部材４２の側壁部４３を乗り越えて粒子層４１の表面４１ａ上に到達することはできない。
【００１２】
なお、上記第１の実施の形態では、基礎１２の一方の側面１２ａ側（建築物１０の内側）に防白蟻部材２０が配置されているが、これに限定されず、基礎１２の他方の側面１２ｂ側（建築物１０の外側）の地面３２上に防白蟻部材２０を配置してもよい。
例えば図３に示すように、基礎１２の他方の面１２ｂに沿って地面３２に凹部３２ａを形成し、この凹部３２ａに防白蟻部材７０を配置する。この場合、粒子層７１（図１の粒子層２１と同様のもの）および仕切り部材７２（図１の仕切り部材２２と同様のもの）を使用する。そして、粒子層７１の底部７１ｂから表面７１ａまでの高さは図１の粒子層２１と同様である。ただし、仕切り部材７２の底部７４の基礎１２の他方の側面１２ｂに接する端部７４ａには下向きに折曲部７４ｂが形成され、この折曲部７４ｂは前記他方の側面１２ｂに接していている。このため、地面３２下の地中に白蟻が形成した蟻道３４を通って白蟻が前記他方の側面１２ｂに到達した場合に、白蟻が前記他方の側面１２ｂを昇って建物１０に到達することを防ぐことができる。
なお、図１の蟻返し２３ａに相当するものはない。また、仕切り部材７２の側壁部７３の上端部と粒子層７１の表面７１ａは地面３２とほぼ同じ高さである。このようにすると、防白蟻部材７０が地面３２上に突出しないので、防白蟻部材７０が地面３２上の障害物にならない。また、防白蟻部材７０は薬剤を使用していないので、防白蟻部材７０による薬害もない。
また、図4に示すように、蟻返し２５を仕切り部材２２とは別体に形成し、蟻返し２５の基部２５ａを粒子層２１と仕切り部材２２の側壁部２３との間に差し込むようにしてもよい。
同様に、上記第２の実施の形態でも、基礎１２の一方の側面１２ａ側に防白蟻部材４０が配置されているが、これに限定されず、基礎１２の他方の側面１２ｂ側の土壌６２上のコンクリート床６４に防白蟻部材４０を配置してもよい。このようにすると、コンクリート床６４と基礎１２の他方の側面１２ｂとの間に隙間６４ａが生じていても、白蟻が基礎１２の他方の側面１２ｂを昇ることを防ぐことができる。
また、建築物１０は屋外の門、塀、木製の公園用材、ブランコ等の構築物を含む。さらに、基礎１２に限定されず地面または床から立ち上がる立ち上がり部材（例えば水道管、ガス管、電気配線等）の側面に防白蟻部材を配置してもよい。
【図面の簡単な説明】
【００１３】
【図１】本発明の第１の実施の形態に係る防白蟻方法を説明する断面図である。
【図２】本発明の第２の実施の形態に係る防白蟻方法を説明する断面図である。
【図３】図１の防白蟻方法の変形例を説明する断面図である。
【図４】図１の蟻返しの変形例を説明する断面図である。
【符号の説明】
【００１４】
１０  建築物
１１  土台
１２  基礎
１２ａ  一方の側面
１２ｂ  他方の側面
２０  防白蟻部材
２１  粒子層
２２  仕切り部材
２３  側壁部
２４  底部
３１、３２  地面
４０  防白蟻部材
４１  粒子層
４２  仕切り部材
４３  側壁部
４４  底部
６３、６４  コンクリート床
７０  防白蟻部材
７１  粒子層
７２  仕切り部材
７３  側壁部
７４  底部
【図１】
2006241881.tif 000003
【図２】
2006241881.tif 000004
【図３】
2006241881.tif 000005
【図４】
2006241881.tif 000006